(57)【要約】【課題】手摺の支柱外部や支柱内部に浸入して伝って落ちる雨水が支柱受け具の取付孔からパラペットに浸入することなく、外部に排水できパラペットの濡水を防止した笠木付手摺を提供する。【解決手段】笠木受け具と、笠木と、ブラケットと、手摺体とを備え、笠木受け具は、笠木載置部と、笠木載置部の下方に位置する浸入水受部と、笠木載置部の左右にそれぞれ設けた取付部と、笠木載置部と取付部との間に位置する左右の排水溝とを有し、ブラケットは、立ち上がり部と、固定部とを有し、手摺体は中空状の支柱を有し、笠木受け具は左右の取付部でパラペット上面に固定してあり、笠木は笠木受け具の笠木載置部に載置してあり、ブラケットは笠木の上に位置して固定部を笠木載置部に取り付け、支柱はブラケットの立ち上がり部に取り付けてあることを特徴とする。【選択図】  図１
2006207345.tif 000002
【特許請求の範囲】
【請求項１】
笠木受け具と、笠木と、ブラケットと、手摺体とを備え、
笠木受け具は、笠木載置部と、笠木載置部の下方に位置する浸入水受部と、笠木載置部の左右にそれぞれ設けた取付部と、笠木載置部と取付部との間に位置する左右の排水溝とを有し、
ブラケットは、立ち上がり部と、固定部とを有し、
手摺体は中空状の支柱を有し、
笠木受け具は左右の取付部でパラペットに固定してあり、笠木は笠木受け具の笠木載置部に載置してあり、ブラケットは笠木の上に位置して固定部を笠木載置部に取り付け、支柱はブラケットの立ち上がり部に取り付けてあることを特徴とする笠木付手摺。
【発明の詳細な説明】
【技術分野】
【０００１】
本発明は笠木付の手摺に関する。
【背景技術】
【０００２】
従来から、建築物の屋上やバルコニー等にはパラペットを形成し、パラペット上面に支柱を取り付けて手摺を設けている場合がある。
この場合に、パラペットの上に笠木を配置し、笠木の上に支柱を取り付けてパラペットに雨水がかかるのを防止しつつ、外観向上を図る技術は公知である。
【０００３】
上記のような取り付け方法を採用した場合にあっても、手摺と支柱の取付部や支柱の受け金具の取付部から雨水が浸入する恐れがあり、連結部（取付部）をシリーリングあるいは、シーラーを塗布したりして対応していた。
しかし、シリーリング材やシーラーは経年変化により劣化し、亀裂が入り、雨水が浸入するようになるという技術的課題があった。
【０００４】
特開平１１−３６４３９号公報には、パラペットの骨組みの上面に支柱受具をボルトで固定して、この支柱受具の上端に笠木を取り付けた支柱を立設することで、パラペットの骨組み内に雨水が浸入するのを防止する技術を開示する。
しかし、支柱受具はパラペットの骨組み上面にボルトで固定してあるために、ボルトを挿入する取付孔から雨水が浸入する技術的課題があった。
【０００５】
特開昭６３−４１６２号公報には、パラペットの上端部にジョイント金具を取り付け、このジョイント金具の取付杆に排水具を取り付け、その上に所定の隙間を設けて笠木を取り付ける技術を開示する。
しかし、この場合に排水具に開口部を形成して開口部にジョイント金具の取付杆を挿入し、排水具の開口部とジョイント金具の取付杆との間はシール材にてシールする技術であるために、シール材の経年劣化により生じる亀裂等による雨水の浸入は防ぐことができない。
【０００６】
【特許文献１】特開平１１−３６４３９号公報
【特許文献２】特開昭６３−４１６２号公報
【発明の開示】
【発明が解決しようとする課題】
【０００７】
本発明は上記背景技術に鑑みて、手摺の支柱外部や支柱内部に浸入して伝って落ちる雨水が支柱受け具の取付孔からパラペット上に浸入することなく、外部に排水できパラペットが濡れるのを防止した笠木付手摺の提供を目的とする。
【課題を解決するための手段】
【０００８】
本発明に係る笠木付手摺は、笠木受け具と、笠木と、ブラケットと、手摺体とを備え、笠木受け具は、笠木載置部と、笠木載置部の下方に位置する浸入水受部と、笠木載置部の左右にそれぞれ設けた取付部と、笠木載置部と取付部との間に位置する左右の排水溝とを有し、ブラケットは、立ち上がり部と、固定部とを有し、手摺体は中空状の支柱を有し、笠木受け具は左右の取付部でパラペットに固定してあり、笠木は笠木受け具の笠木載置部に載置してあり、ブラケットは笠木の上に位置して固定部を笠木載置部に取り付け、支柱はブラケットの立ち上がり部に取り付けてあることを特徴とする。
【０００９】
ここで、笠木載置部の下方に位置する浸入水受部を有しているから、支柱の中空内部を伝って雨水が笠木載置部に落ち、笠木載置部のブラケットを固定する取付孔と取付具との間から雨水が浸入すると、その下方の浸入水受部に流れ込み、この浸入水受部に沿って、外部に排水する。
【００１０】
また、笠木載置部とこの左右の取付部との間にそれぞれ排水溝を有しているので、手摺の支柱の外面や内面等を伝って笠木載置部に落ちてくる雨水は笠木載置部及び取付部の上面より低い排水溝底に向けて流れ込み、排水溝に沿って外部に排水し、パラぺットを濡らすことがない。
【００１１】
本発明において、ブラケットは支柱の下端と笠木とを連結し、笠木受け具の笠木載置部に手摺体を固定するのが目的である。
支柱を中空状にして、支柱の中空部内でブラケットの立ち上がり部と連結するのが外部からブラケットの立ち上がり部が見えなくなり好ましい。
また、中空状の支柱を安定して支えるには、ブラケットに複数の立ち上がり部を設け、立ち上がり部の下端を固定部にて連結し、この複数の立ち上がり部を中空部内に位置するようにして取り付けるのが好ましい。
【００１２】
笠木受け具の笠木載置部上面、浸入水受部の上面、排水溝底面は、屋内側あるいは屋外側に向け下り傾斜していると排水の流れがよくなる。
ここで、屋内側と屋外側のどちらに向けて下り傾斜にするかは、排水ルートの設計に合わせて選択し、笠木載置部上面、浸入水受部の上面、排水溝底面の傾斜方向は必ずしも一致させる必要はない。
【００１３】
笠木受け具の笠木載置部上面を傾斜させることにより、笠木の上面を傾斜させた場合には、笠木上面とブラケット固定部との間にスペーサーを設け、スペーサーの厚みを笠木上面の下り傾斜側が厚くなるようにして、スペーサーを笠木の上面に載置した状態でスペーサーの上面がほぼ水平になるようにすると、笠木上面の傾斜の影響を受けることなく、支柱の端面を直角に切断するだけで、支柱をほぼ垂直に立設できる。
【発明の効果】
【００１４】
本発明においては、笠木載置部の下方に位置する浸入水受部と、笠木載置部と取付部との間に排水溝を設けたことにより、笠木載置部の上に笠木を載置し、笠木の上に位置し笠木載置部にブラケットの固定部を取り付け、ブラケットの立ち上がり部で支柱を取り付けた場合に、支柱の外面あるいは中空部内面に沿って笠木受け具に流れ落ちてくる雨水を浸入水受部及び排水溝に沿って外部に排水することができ、パラペットを濡らすことを防止できる。
これにより、雨水に濡れることにより駆体が朽ちるのを抑えることができる。
【発明を実施するための最良の形態】
【００１５】
図５に本発明に係る笠木付手摺を示す。
パラペット１の上端部に笠木受け具１０を取り付け、その上に笠木２０を取り付け、その上に手摺体３０を取り付けている。
手摺体３０は中空状の支柱３１を有していて、笠木２０の上に支柱３１を立設し、支柱の上端部に手摺４を取り付け、必要に応じて横桟３を連結する。
【００１６】
図４にパラペット１と支柱３１の立設部の断面図を示し、図２にパラペット１に笠木受け具を取り付ける手順を示し、図１に笠木受け具の笠木載置部に笠木を載置し、支柱を立設する手順を示す。
また、図３には笠木受け具の外観斜視図を示す。
【００１７】
まず、図２に基づいてパラペット１に笠木受け具１０を取り付ける手順を説明する。
笠木受け具１０の上面に笠木載置部１１を形成し、この笠木載置部に傾斜を設ける目的で図２に示す例では、屋内側が下り傾斜になるように笠木受け具下面スペーサー１５の屋内側１５ｂの厚みを屋外側１５ｃより薄くしてある。
パラペットの上端面と笠木受け具１０の間に笠木受け具下面スペーサー１５を挟み、笠木受け具１０の笠木載置部１１の左右に設けた取付部１３にて係止部材１７等の取付具を用いて笠木受け具１０をパラペット１の上端面に取り付ける。
この場合に、取付部１３に設けた取付孔１３ａは長孔になっていて位置調整しやすくなっているとともに、取付部上面スペーサー１６にて笠木受け具下面スペーサー傾斜の角度を吸収して取付部上面スペーサーの上面がほぼ水平になるようになっている。
取付部上面スペーサー１６に設けた取付孔１６ａに、ビス等の係止部材１７を通して笠木受け具をパラペットに固定する。
【００１８】
パラペットの上端面に支柱の間隔に合わせて複数の笠木受け具を取り付けると、次に図１に示すように笠木受け具１０の笠木載置部１１に笠木２０を載置する。
笠木２０の上面は、笠木載置部の傾斜にならって屋内側に向かって下り傾斜しているので、スペーサー２１の上面がほぼ水平になるようにスペーサー２１の屋内側２１ｂの厚みが屋外側２１ｃの厚みより厚くなっている。
【００１９】
スペーサー２１の上にブラケット２２を配置し、ブラケット２２の固定部２２ｃと笠木２０とでスペーサー２１を挟み込むようにして、ビス等の係止部材２３でブラケットの取付孔２２ｄ、スペーサーの取付孔２１ａ、笠木の取付孔２０ａを通して笠木載置部１１の取付孔１０ａに取り付ける。
図１に示す例のブラケット２２は、２つの立ち上がり部２２ｂ、２２ｂを形成し、この立ち上がり部を下端で連結した固定部２２ｃになっている。
ブラケット２２をスペーサー２１を挟んで笠木に固定したら、ブラケットの立ち上がり部を呑み込むようにして支柱３１の中空部を差し込み、ブラケットの立ち上がり部で係止部材３２を用いて支柱を固定する。
【００２０】
支柱をブラケットに固定したら、カバー部材２４を支柱の上端から落とし込み、スペーサーの外周部をカバーする。
支柱の上端部は、図５に示すように手摺４を連結プレート５にて係止部材４ａ、５ａを用いてそれぞれ取り付け連結する。
また、横桟３も係止部材３ａを用いて連結固定する。
【００２１】
ここで、笠木受け具１０は図３に示すように笠木載置部の下方に中空形状の浸入水受け部１２を有し、笠木載置部１１と取付部１３との間に、笠木載置部及び取付部上面より溝底が低い排水溝１４を左右に形成している。
これにより、図１に模式図を示すように、笠木載置部１１の取付孔１０ａと係止部材との隙間から内部に浸入した雨水は、その下方に位置する浸入水受け部１２を通して外部に排水し、笠木載置部の上面から笠木受け具の左右の取付部側に流れた雨水は、排水溝１４を通して外部に流れる。
【図面の簡単な説明】
【００２２】
【図１】笠木受け具と笠木及び支柱との組み付け部の分解図を示す。
【図２】笠木受け具をパラペットに組み付ける分解図を示す。
【図３】笠木受け具を示す。
【図４】笠木受け具の断面図を示す。
【図５】本発明に係る手摺を示す。
【符号の説明】
【００２３】
１    パラペット
１０  笠木受け具
１１  笠木載置部
１２  浸入水受部
１３  笠木受け具の取付部
１４  笠木受け具の排水溝
２０  笠木
２１  スペーサー
２２  ブラケット
２３  取付具
２４  カバー部材
３０  手摺体
３１  支柱
【図１】
2006207345.tif 000003
【図２】
2006207345.tif 000004
【図３】
2006207345.tif 000005
【図４】
2006207345.tif 000006
【図５】
2006207345.tif 000007